(57)【要約】【課題】熱損失が少なく高効率な沸き上げ運転ができるヒートポンプ給湯機を提供する。【解決手段】冷媒回路２５を有すると共に水を加熱するヒートポンプユニット１と、貯湯タンク８を備えたタンクユニット２とを、貯湯タンク８内の水をヒートポンプユニット１に搬送する水側配管１１と、ヒートポンプユニット１でつくられたお湯を貯湯タンク８内に搬送するお湯側配管１２とで接続して構成され、ヒートポンプユニット１とお湯側配管１２とのお湯側配管接続部１４を、断熱材２１ｂを介してヒートポンプユニット１のケーシング１７に設置したもので、ヒートポンプユニット１で沸き上げたお湯を貯湯タンク８に貯える際、お湯側配管１２からヒートポンプユニット１のお湯側配管接続部１４とヒートポンプユニット１のケーシング１７とを介して空気中に放熱する熱損失を低減でき、省エネルギー化を図ると共に高効率な沸き上げ運転が可能となる。【選択図】図１
2008175519.tif 000002
【特許請求の範囲】
【請求項１】
冷媒回路を有すると共に水を加熱するヒートポンプユニットと、貯湯タンクを備えたタンクユニットとを、前記貯湯タンク内の水を前記ヒートポンプユニットに搬送する水側配管と、前記ヒートポンプユニットでつくられたお湯を前記貯湯タンク内に搬送するお湯側配管とで接続して構成され、前記ヒートポンプユニットと前記お湯側配管との接続部を、熱伝導防止手段を介して前記ヒートポンプユニットのケーシングに設置したことを特徴とするヒートポンプ給湯機。
【請求項２】
冷媒回路を有すると共に水を加熱するヒートポンプユニットと、貯湯タンクを備えたタンクユニットとを、前記貯湯タンク内の水を前記ヒートポンプユニットに搬送する水側配管と、前記ヒートポンプユニットでつくられたお湯を前記貯湯タンク内に搬送するお湯側配管とで接続して構成され、前記ヒートポンプユニットと前記お湯側配管との接続部及び、前記ヒートポンプユニットと前記水側配管との接続部を、熱伝導防止手段を介して前記ヒートポンプユニットのケーシングに設置したことを特徴とするヒートポンプ給湯機。
【請求項３】
冷媒回路を有すると共に水を加熱するヒートポンプユニットと、貯湯タンクを備えたタンクユニットとを、前記貯湯タンク内の水を前記ヒートポンプユニットに搬送する水側配管と、前記ヒートポンプユニットでつくられたお湯を前記貯湯タンク内に搬送するお湯側配管とで接続して構成され、前記タンクユニットと前記お湯側配管との接続部を、熱伝導防止手段を介して前記タンクユニットのケーシングに設置したことを特徴とするヒートポンプ給湯機。
【請求項４】
冷媒回路を有すると共に水を加熱するヒートポンプユニットと、貯湯タンクを備えたタンクユニットとを、前記貯湯タンク内の水を前記ヒートポンプユニットに搬送する水側配管と、前記ヒートポンプユニットでつくられたお湯を前記貯湯タンク内に搬送するお湯側配管とで接続して構成され、前記タンクユニットと前記お湯側配管との接続部及び前記タンクユニットと前記水側配管との接続部を、熱伝導防止手段を介して前記タンクユニットのケーシングに設置したことを特徴とするヒートポンプ給湯機。
【請求項５】
熱伝導防止手段を、ヒートポンプユニットとお湯側配管との接続部と、前記ヒートポンプユニットのケーシングとの間に発泡ウレタン系の断熱材を挿入して構成した請求項１または２に記載のヒートポンプ給湯機。
【請求項６】
熱伝導防止手段を、ヒートポンプユニットとお湯側配管との接続部と、前記ヒートポンプユニットのケーシングとの間にノンアスベスト系の繊維断熱材を挿入して構成した請求項１または２に記載のヒートポンプ給湯機。
【請求項７】
熱伝導防止手段を、ヒートポンプユニットとお湯側配管との接続部と、前記ヒートポンプユニットのケーシングとの間にパッキン状のゴム成型品を挿入して構成した請求項１または２に記載のヒートポンプ給湯機。
【請求項８】
熱伝導防止手段を、タンクユニットとお湯側配管との接続部と、前記タンクユニットのケーシングとの間に発泡ウレタン系の断熱材を挿入して構成した請求項３または４に記載のヒートポンプ給湯機。
【請求項９】
熱伝導防止手段を、タンクユニットとお湯側配管との接続部と、前記タンクユニットのケーシングとの間にノンアスベスト系の繊維断熱材を挿入して構成した請求項３または４に記載のヒートポンプ給湯機。
【請求項１０】
熱伝導防止手段を、タンクユニットとお湯側配管との接続部と、前記タンクユニットのケーシングとの間にパッキン状のゴム成型品を挿入して構成した請求項３または４に記載のヒートポンプ給湯機。
【請求項１１】
冷媒回路を、高圧側の冷媒圧力が臨界圧力以上となる超臨界ヒートポンプサイクルとした請求項１〜１０のいずれか１項に記載のヒートポンプ給湯機。
【請求項１２】
冷媒回路内の冷媒として二酸化炭素を用いることを特徴とする請求項１〜１０のいずれか１項に記載のヒートポンプ給湯機。
【発明の詳細な説明】
【技術分野】
【０００１】
本発明は、ヒートポンプで沸き上げたお湯を貯湯タンクに貯えて、給湯に利用できるヒートポンプ給湯機に関するものである。
【背景技術】
【０００２】
従来、ヒートポンプで沸き上げたお湯を給湯に利用できるヒートポンプ給湯機として、図３に示すようなものがある（例えば、非特許文献１参照）。図３に示すように、このヒートポンプ給湯機は、ヒートポンプユニット１０１とタンクユニット１０２とを、水側配管１１１とお湯側配管１１２とで接続して構成されている。
【０００３】
ヒートポンプユニット１０１は、圧縮機１０３、給湯熱交換器１０４、膨張弁１０５、蒸発器１０６を順次環状に接続してヒートポンプサイクルを構成している。タンクユニット１０２は、貯湯タンク１０８、ポンプ１０９、温調弁１１０を備えている。１０７は、蒸発器１０６の風を送るファンである。
【０００４】
貯湯タンク１０８内の水は、ポンプ１０９によりタンクユニット１０２の水側配管接続部１１５、水側配管１１１、ヒートポンプユニット１０１の水側配管接続部１１３を介して給湯熱交換器１０４に搬送され、ヒートポンプサイクルの高温冷媒と熱交換して自身は高温の湯となり、その後ヒートポンプユニット１０１のお湯側配管接続部１１４、お湯側配管１１２、タンクユニット１０２のお湯側配管接続部１１６を介して、貯湯タンク１０８に湯として貯えられる。貯湯タンク１０８に貯えられたお湯と給水とを温調弁１１０で混合して所定の温度に調節し、給湯として利用するものである。
【０００５】
１１９は、外部の水道管（図示せず）に接続される給水接続部、１２０は、浴室、台所、洗面所などに給湯するための給湯配管（図示せず）が接続される給湯接続部である。
【非特許文献１】空気調和・衛生工学、第７８巻第６号、Ｐ．１５〜Ｐ．１８
【発明の開示】
【発明が解決しようとする課題】
【０００６】
しかしながら、前記従来のヒートポンプ給湯機の構成では、給湯熱交換器１０４で加熱された高温（６５℃〜９０℃）の湯が貯湯タンク１０８内に搬送されるまでの間に、ヒートポンプユニット１０１のお湯側配管接続部１１４から熱伝導によりヒートポンプユニット１０１のケーシング１１７に熱が伝わり、その後、ヒートポンプユニット１０１のケーシング１１７から空気中に放熱され、熱損失が生じる。
【０００７】
また、タンクユニット１０２のお湯側配管接続部１１６から熱伝導によりタンクユニット１０２のケーシング１１８に熱が伝わり、その後、タンクユニット１０２のケーシング１１８から空気中に放熱され、熱損失が生じる。通常、お湯側配管１１２及び水側配管１１１の外周には放熱ロス防止のために断熱材（図示せず）が設置されるが、ヒートポンプユニット１０１のケーシング１１７やタンクユニット１０２のケーシング１１８には断熱材は設置されない。
【０００８】
さらに、ヒートポンプユニット１０１のお湯側配管接続部１１４からヒートポンプユニット１０１のケーシング１１７に熱伝導した熱量の一部は、ヒートポンプユニット１０１の水側配管接続部１１３を介して、水側配管１１１内の水に伝わると共に、タンクユニット１０２のお湯側配管接続部１１６からタンクユニット１０２のケーシング１１８に熱伝導した熱量の一部は、タンクユニット１０２の水側配管接続部１１５を介して水側配管１
１１内の水に伝わることにより、給湯熱交換器１０４の入口水温が上昇する。
【０００９】
ヒートポンプの特性上、給湯熱交換器１０４の入口水温が上昇すると、ヒートポンプサイクルの運転効率（ＣＯＰ）が低下してしまう。即ち、お湯側配管１１２からヒートポンプユニット１０１のケーシング１１７及びタンクユニット１０２のケーシング１１８を介した熱伝導により、ヒートポンプユニット１０１で沸き上げた熱量の一部が熱損失として空気中に放出されるだけでなく、ヒートポンプサイクルの運転効率（ＣＯＰ）の低下をも招くという課題があった。
【００１０】
本発明は、前記従来の課題を解決するもので、お湯側配管からヒートポンプユニット及びタンクユニットのそれぞれのケーシングを介した熱損失を低減し、ヒートポンプユニットによる高効率な沸き上げ運転が可能なヒートポンプ給湯機を提供することを目的とする。
【課題を解決するための手段】
【００１１】
前記従来の課題を解決するために、本発明のヒートポンプ給湯機は、冷媒回路を有すると共に水を加熱するヒートポンプユニットと、貯湯タンクを備えたタンクユニットとを、前記貯湯タンク内の水を前記ヒートポンプユニットに搬送する水側配管と、前記ヒートポンプユニットでつくられたお湯を前記貯湯タンク内に搬送するお湯側配管とで接続して構成され、前記ヒートポンプユニットと前記お湯側配管との接続部を、熱伝導防止手段を介して前記ヒートポンプユニットのケーシングに設置したもので、ヒートポンプユニットで沸き上げたお湯を貯湯タンクに貯える際、お湯側配管からヒートポンプユニットのお湯側配管接続部とヒートポンプユニットのケーシングとを介して空気中に放熱する熱損失を低減でき、省エネルギー化を図ると共に高効率な沸き上げ運転が可能となる。
【００１２】
また、本発明のヒートポンプ給湯機は、冷媒回路を有すると共に水を加熱するヒートポンプユニットと、貯湯タンクを備えたタンクユニットとを、前記貯湯タンク内の水を前記ヒートポンプユニットに搬送する水側配管と、前記ヒートポンプユニットでつくられたお湯を前記貯湯タンク内に搬送するお湯側配管とで接続して構成され、前記ヒートポンプユニットと前記お湯側配管との接続部及び、前記ヒートポンプユニットと前記水側配管との接続部を、熱伝導防止手段を介して前記ヒートポンプユニットのケーシングに設置したもので、お湯側配管からヒートポンプユニットのお湯側配管接続部とヒートポンプユニットのケーシングとを介して空気中に放熱する熱損失を低減できるだけでなく、ヒートポンプユニットによる高効率な沸き上げ運転が可能となり、省エネルギー化を図ることができる。
【００１３】
また、本発明のヒートポンプ給湯機は、冷媒回路を有すると共に水を加熱するヒートポンプユニットと、貯湯タンクを備えたタンクユニットとを、前記貯湯タンク内の水を前記ヒートポンプユニットに搬送する水側配管と、前記ヒートポンプユニットでつくられたお湯を前記貯湯タンク内に搬送するお湯側配管とで接続して構成され、前記タンクユニットと前記お湯側配管との接続部を、熱伝導防止手段を介して前記タンクユニットのケーシングに設置したもので、お湯側配管からタンクユニットのお湯側配管接続部とタンクユニットのケーシングとを介して空気中に放熱する熱損失を低減でき、省エネルギー化を図ることができる。
【００１４】
また、本発明のヒートポンプ給湯機は、冷媒回路を有すると共に水を加熱するヒートポンプユニットと、貯湯タンクを備えたタンクユニットとを、前記貯湯タンク内の水を前記ヒートポンプユニットに搬送する水側配管と、前記ヒートポンプユニットでつくられたお湯を前記貯湯タンク内に搬送するお湯側配管とで接続して構成され、前記タンクユニットと前記お湯側配管との接続部及び前記タンクユニットと前記水側配管との接続部を、熱伝
導防止手段を介して前記タンクユニットのケーシングに設置したもので、お湯側配管からタンクユニットのお湯側配管接続部とタンクユニットのケーシングとを介して空気中に放熱する熱損失を低減できるだけでなく、ヒートポンプユニットによる高効率な沸き上げ運転が可能となり、省エネルギー化を図ることができる。
【発明の効果】
【００１５】
本発明のヒートポンプ給湯機は、お湯側配管からヒートポンプユニットのお湯側配管接続部とヒートポンプユニットのケーシングとを介して空気中に放熱する熱損失を低減できるだけでなく、ヒートポンプユニットによる高効率な沸き上げ運転が可能となり、省エネルギー化を図ることができる。
【発明を実施するための最良の形態】
【００１６】
第１の発明は、冷媒回路を有すると共に水を加熱するヒートポンプユニットと、貯湯タンクを備えたタンクユニットとを、前記貯湯タンク内の水を前記ヒートポンプユニットに搬送する水側配管と、前記ヒートポンプユニットでつくられたお湯を前記貯湯タンク内に搬送するお湯側配管とで接続して構成され、前記ヒートポンプユニットと前記お湯側配管との接続部を、熱伝導防止手段を介して前記ヒートポンプユニットのケーシングに設置したもので、ヒートポンプユニットで沸き上げたお湯を貯湯タンクに貯える際、お湯側配管からヒートポンプユニットのお湯側配管接続部とヒートポンプユニットのケーシングとを介して空気中に放熱する熱損失を低減でき、省エネルギー化を図ると共に高効率な沸き上げ運転が可能となる。
【００１７】
第２の発明は、冷媒回路を有すると共に水を加熱するヒートポンプユニットと、貯湯タンクを備えたタンクユニットとを、前記貯湯タンク内の水を前記ヒートポンプユニットに搬送する水側配管と、前記ヒートポンプユニットでつくられたお湯を前記貯湯タンク内に搬送するお湯側配管とで接続して構成され、前記ヒートポンプユニットと前記お湯側配管との接続部及び、前記ヒートポンプユニットと前記水側配管との接続部を、熱伝導防止手段を介して前記ヒートポンプユニットのケーシングに設置したもので、お湯側配管からヒートポンプユニットのお湯側配管接続部とヒートポンプユニットのケーシングとを介して空気中に放熱する熱損失を低減できるだけでなく、ヒートポンプユニットによる高効率な沸き上げ運転が可能となり、省エネルギー化を図ることができる。
【００１８】
第３の発明は、冷媒回路を有すると共に水を加熱するヒートポンプユニットと、貯湯タンクを備えたタンクユニットとを、前記貯湯タンク内の水を前記ヒートポンプユニットに搬送する水側配管と、前記ヒートポンプユニットでつくられたお湯を前記貯湯タンク内に搬送するお湯側配管とで接続して構成され、前記タンクユニットと前記お湯側配管との接続部を、熱伝導防止手段を介して前記タンクユニットのケーシングに設置したもので、お湯側配管からタンクユニットのお湯側配管接続部とタンクユニットのケーシングとを介して空気中に放熱する熱損失を低減でき、省エネルギー化を図ることができる。
【００１９】
第４の発明は、冷媒回路を有すると共に水を加熱するヒートポンプユニットと、貯湯タンクを備えたタンクユニットとを、前記貯湯タンク内の水を前記ヒートポンプユニットに搬送する水側配管と、前記ヒートポンプユニットでつくられたお湯を前記貯湯タンク内に搬送するお湯側配管とで接続して構成され、前記タンクユニットと前記お湯側配管との接続部及び前記タンクユニットと前記水側配管との接続部を、熱伝導防止手段を介して前記タンクユニットのケーシングに設置したもので、お湯側配管からタンクユニットのお湯側配管接続部とタンクユニットのケーシングとを介して空気中に放熱する熱損失を低減できるだけでなく、ヒートポンプユニットによる高効率な沸き上げ運転が可能となり、省エネルギー化を図ることができる。
【００２０】
第５の発明は、特に、第１又は第２の発明の熱伝導防止手段を、ヒートポンプユニットとお湯側配管との接続部と、前記ヒートポンプユニットのケーシングとの間に発泡ウレタン系の断熱材を挿入して構成したもので、簡易な構成でお湯側配管からヒートポンプユニットのお湯側配管接続部とヒートポンプユニットのケーシングとを介して空気中に放熱する熱損失を低減できるだけでなく、ヒートポンプユニットによる高効率な沸き上げ運転が可能となり、省エネルギー化を図ることができる。
【００２１】
第６の発明は、特に、第１又は第２の発明の熱伝導防止手段を、ヒートポンプユニットとお湯側配管との接続部と、前記ヒートポンプユニットのケーシングとの間にノンアスベスト系の繊維断熱材を挿入して構成したもので、簡易かつ耐久性に優れた構成でお湯側配管からヒートポンプユニットのお湯側配管接続部とヒートポンプユニットのケーシングとを介して空気中に放熱する熱損失を低減できるだけでなく、ヒートポンプユニットによる高効率な沸き上げ運転が可能となり、省エネルギー化を図ることができる。
【００２２】
第７の発明は、特に、第１又は第２の発明の熱伝導防止手段を、ヒートポンプユニットとお湯側配管との接続部と、前記ヒートポンプユニットのケーシングとの間にパッキン状のゴム成型品を挿入して構成したもので、簡易かつ加工性に優れた構成でお湯側配管からヒートポンプユニットのお湯側配管接続部とヒートポンプユニットのケーシングとを介して空気中に放熱する熱損失を低減できるだけでなく、ヒートポンプユニットによる高効率な沸き上げ運転が可能となり、省エネルギー化を図ることができる。
【００２３】
第８の発明は、特に、第３又は第４の発明の熱伝導防止手段を、タンクユニットとお湯側配管との接続部と、前記タンクユニットのケーシングとの間に発泡ウレタン系の断熱材を挿入して構成したもので、簡易な構成でお湯側配管からタンクユニットのお湯側配管接続部とタンクユニットのケーシングとを介して空気中に放熱する熱損失を低減できるだけでなく、ヒートポンプユニットによる高効率な沸き上げ運転が可能となり、省エネルギー化を図ることができる。
【００２４】
第９の発明は、特に、第３又は第４の発明の熱伝導防止手段を、タンクユニットとお湯側配管との接続部と、前記タンクユニットのケーシングとの間にノンアスベスト系の繊維断熱材を挿入して構成したもので、簡易かつ耐久性に優れた構成でお湯側配管からタンクユニットのお湯側配管接続部とタンクユニットのケーシングとを介して空気中に放熱する熱損失を低減できるだけでなく、ヒートポンプユニットによる高効率な沸き上げ運転が可能となり、省エネルギー化を図ることができる。
【００２５】
第１０の発明は、特に、第３又は第４の発明の熱伝導防止手段を、タンクユニットとお湯側配管との接続部と、前記タンクユニットのケーシングとの間にパッキン状のゴム成型品を挿入して構成したもので、簡易かつ加工性に優れた構成でお湯側配管からタンクユニットのお湯側配管接続部とタンクユニットのケーシングとを介して空気中に放熱する熱損失を低減できるだけでなく、ヒートポンプユニットによる高効率な沸き上げ運転が可能となり、省エネルギー化を図ることができる。
【００２６】
第１１の発明は、特に、第１〜１０のいずれか１つの発明の冷媒回路を、高圧側の冷媒圧力が臨界圧力以上となる超臨界ヒートポンプサイクルとしたもので、臨界圧力以上に昇圧された冷媒により給湯熱交換器内の水を加熱することにより、前記給湯熱交換器内の冷媒は臨界圧力以上に加圧されているので、前記給湯熱交換器内の水により熱を奪われて温度低下しても凝縮することがない。従って、前記給湯熱交換器の全域で冷媒と水との間の温度差を形成しやすくなり、熱交換効率を高くできる。
【００２７】
第１２の発明は、特に、特に、第１〜１０のいずれか１つの発明の冷媒回路内の冷媒と
して二酸化炭素を用いるもので、比較的安価でかつ安定した二酸化炭素を冷媒に使用することで製品コストを抑えるとともに、信頼性を向上させることができる。また、二酸化炭素はオゾン破壊係数がゼロであり、地球温暖化係数も代替冷媒ＨＦＣ−４０７Ｃの約１７００分の１と非常に小さいため、地球環境に優しいヒートポンプ給湯機を提供することができる。
【００２８】
以下、本発明の実施の形態について、図面を参照しながら説明する。なお、この実施の形態によって本発明が限定されるものではない。
【００２９】
（実施の形態１）
図１は、本発明の第１の実施の形態におけるヒートポンプ給湯機の構成図、図２は、同ヒートポンプ給湯機のヒートポンプユニット側の配管接続部の断面図である。
【００３０】
図１において、本実施の形態におけるヒートポンプ給湯機は、水を加熱するヒートポンプユニット１と、貯湯タンク８を備えたタンクユニット２との間を、貯湯タンク８内の水をヒートポンプユニット１に搬送する水側配管１１と、ヒートポンプユニット１でつくられたお湯を貯湯タンク８内に搬送するお湯側配管１２とで接続して構成されている。
【００３１】
ヒートポンプユニット１には、圧縮機３、給湯熱交換器４、膨張弁５、蒸発器６を環状に接続した冷媒回路２５が備えられている。本実施の形態では、冷媒回路２５に充填する冷媒として、二酸化炭素を用いている。
【００３２】
タンクユニット２には、お湯を貯える貯湯タンク８、貯湯タンク８内の水をヒートポンプユニット１に搬送する循環ポンプ９、貯湯タンク８内の湯と水とを混合して所定温度の湯を作り出す混合弁１０が備えられている。
【００３３】
ヒートポンプユニット１のケーシング１７には、図２に示すように、熱伝導防止手段である断熱材２１ａ、２１ｂを介してヒートポンプユニット１の水側配管接続部１３と、ヒートポンプユニット１のお湯側配管接続部１４とが設置されている。また、タンクユニット２のケーシング１８には、同じく熱伝導防止手段である断熱材２１ｃ、２１ｄを介してタンクユニット２の水側配管接続部１５とタンクユニットのお湯側配管接続部１６とが設置されている。
【００３４】
断熱材２１ａ〜２１ｄは、例えば、発泡ウレタン系の材料など断熱性能に優れた材料から形成されている。
【００３５】
水側配管１１の一端は、ヒートポンプユニット１の水側配管接続部１３に、他端はタンクユニット２の水側配管接続部１５に接続されており、お湯側配管１２の一端は、ヒートポンプユニット１のお湯側配管接続部１４に、他端はタンクユニット２のお湯側配管接続部１６に接続されている。
【００３６】
１９は、外部の水道管（図示せず）に接続される給水口、２０は、浴室、台所、洗面所などに給湯するための給湯配管（図示せず）が接続される給湯口である。
【００３７】
以上のように構成された本実施の形態におけるヒートポンプ給湯機について、以下その動作、作用を説明する。
【００３８】
圧縮機３から吐出された高温高圧のガス冷媒は、給湯熱交換器４において貯湯タンク８から搬送された水と熱交換して液または液ガス二相状態となり、膨張弁５で減圧されて低温低圧の液ガス二相冷媒となる。その後、蒸発器６において、送風機７により蒸発器６に
供給された空気と熱交換し、冷媒は空気より吸熱して圧縮機３に戻るというヒートポンプサイクルの動作を繰り返す。
【００３９】
貯湯タンク８底部の水は、循環ポンプ９によって水側配管１１を介して給湯熱交換器４に搬送され、ここでヒートポンプサイクルの冷媒と熱交換して自身は高温の湯となり、お湯側配管１２を介して貯湯タンク８の上部に戻される。
【００４０】
ヒートポンプユニット１のお湯側配管接続部１４とヒートポンプユニットのケーシング１７との間には、発泡ウレタン系の断熱材２１ｂが備えられているため、給湯熱交換器４で加熱された高温（６５〜９０℃）の湯が、ヒートポンプユニット１のお湯側配管接続部１４を通過する際に、ヒートポンプユニット１のケーシング１７への熱伝導を介して空気中に放熱される熱損失を低減できる。
【００４１】
また、タンクユニット２のお湯側配管接続部１６とタンクユニット２のケーシング１８との間には断熱材２１ｄが備えられているため、給湯熱交換器４で加熱された高温（６５〜９０℃）の湯がタンクユニット２のお湯側配管接続部１６を通過する際に、タンクユニット２のケーシング１８への熱伝導を介して空気中に放熱される熱損失を低減できる。
【００４２】
更には、お湯側配管１２内を流れる高温（６５〜９０℃）の湯の熱が、ヒートポンプユニット１のケーシング１７やタンクユニットのケーシング１８を介して水側配管１１内を流れる水に伝わって水の温度が上昇するのを防止できる。
【００４３】
即ち、給湯熱交換器４の入口水温の上昇を防止できるため、ヒートポンプユニット１による高効率な沸き上げ運転が可能となるのである。
【００４４】
また、貯湯タンク８内の水を全てお湯に沸き上げる運転（全量沸き上げ）を行う場合には、運転終了前の給湯熱交換器４の入口水温（水側配管１１内の水温）は５０〜６０℃と比較的高温になる。そこで、ヒートポンプユニット１の水側配管接続部１３とヒートポンプユニット１のケーシング１７との間に断熱材２１ａを、タンクユニット２の水側配管接続部１５とタンクユニット２のケーシング１８との間に断熱材２１ｃを備えることにより、比較的高温となった水側配管１１内の水の熱がヒートポンプユニット１のケーシング１７やタンクユニット２のケーシング１８への熱伝導を介して空気中に放熱される熱損失を低減できる。
【００４５】
以上のように、本実施の形態におけるヒートポンプ給湯機によれば、お湯側配管１２内の湯の熱がヒートポンプユニット１のケーシング１７やタンクユニット２のケーシング１８への熱伝導を介して空気中に放熱される熱損失を低減できると共に、お湯側配管１２内の湯の熱が水側配管１１内の水に伝わって温度を上昇させてヒートポンプユニット１の沸き上げ運転効率が低下することを防止できるのである。
【００４６】
なお、上記実施の形態１では、熱伝導防止手段として発泡ウレタン系の断熱材を使用しているが、もちろんこの他にもセラミック系断熱材や真空断熱材の他、ノンアスベスト系の繊維断熱材、ゴムなどを使用してもよい。発泡ウレタン系断熱材は比較的安価で加工性が良いため、ヒートポンプ給湯機の材料コストや組み立てコストを抑えることができる。また、発泡ウレタン系断熱材には振動吸収効果があるため、ヒートポンプユニット１のケーシング１７やタンクユニット２のケーシング１８の振動を防止して騒音の発生を抑制することもできる。セラミック系断熱材は強度や耐久性に優れており、真空断熱材は価格が高いものの断熱性能が優れている。ノンアスベスト系の繊維断熱材は耐久性と断熱性を兼ね備えており、ゴムは断熱性能に加えて加工性に優れ安価である。このように、断熱材の種類に応じて様々な効果を期待できる。
【００４７】
また、ヒートポンプユニット１のお湯側配管接続部１４を、ヒートポンプユニット１のケーシング１７へ固定する際には金属ビスやボルト（図示していない）を使用するのが一般的であるが、金属ビスやボルトの代わりにセラミック系ビスやボルトを使用すればビスやボルトを介した熱伝導損失を更に低減することが可能になる。もちろん、ビスやボルトではなく、接着剤により固定しても良く、接着剤で固定すればビスやボルト部分の熱伝導がなくなるため、更なる熱損失低減を図ることができる。
【００４８】
なお、本実施の形態では、冷媒回路のサイクルを、高圧側の冷媒圧力が臨界圧力以上となる超臨界ヒートポンプサイクルとしているが、もちろん高圧側の冷媒圧力が臨界圧力以下のヒートポンプサイクルでもよい。またこの場合、冷媒としてはフロンガス、アンモニアなどを用いても良い。
【産業上の利用可能性】
【００４９】
以上のように、本発明にかかるヒートポンプ給湯機は、高効率な沸き上げ運転ができるもので、ヒートポンプユニットとタンクユニットとが分離したヒートポンプ給湯機に対して有効である。
【図面の簡単な説明】
【００５０】
【図１】本発明の実施の形態１におけるヒートポンプ給湯機の構成図
【図２】同ヒートポンプ給湯機のヒートポンプユニット側の配管接続部の断面図
【図３】従来のヒートポンプ給湯機の構成図
【符号の説明】
【００５１】
１  ヒートポンプユニット
２  タンクユニット
３  圧縮機
４  給湯熱交換器
５  膨張弁
６  蒸発器
７  送風機
８  貯湯タンク
９  循環ポンプ
１０  混合弁
１１  水側配管
１２  お湯側配管
１３、１５  水側配管接続部（接続部）  
１４、１６  お湯側配管接続部（接続部）
１７、１８  ケーシング
１９  給水口
２０  給湯口
２１ａ〜２１ｄ  断熱材（熱伝導防止手段）
２５  冷媒回路
【図１】
2008175519.tif 000003
【図２】
2008175519.tif 000004
【図３】
2008175519.tif 000005